(57)【要約】【課題】浸水防止壁のための収納スペースを設けることなく、比較的簡易な構造で、浸水防止のための機構を有しない地下階段にも後から設置可能な地下階段用の浸水防止装置を提供することを課題とする。【解決手段】地下階段用浸水防止装置として、地下への入り口に設けられる階段の最上段近傍に、前記階段の横方向に平行に固定される回転軸と、前記回転軸から前記階段の下方側に存する前記階段の表面に沿う形状を有する板体であって、前記階段の上方側の端縁部分で前記回転軸に回動可能に固定される遮蔽板とを設ける。【選択図】  図４
0003167401.tif 000002
【実用新案登録請求の範囲】
【請求項１】
地下への入り口に設けられる階段の最上段近傍に、前記階段の横方向に平行に固定される回転軸と、
前記回転軸から前記階段の下方側に存する前記階段の表面に沿う形状を有する板体であって、前記階段の上方側の端縁部分で前記回転軸に回動可能に固定される遮蔽板と
を有する地下階段用浸水防止装置。
【請求項２】
前記回転軸には長手方向に対して垂直な孔が形成され、
前記遮蔽板には前記回転軸の前記孔に重なる位置において当該回転軸に回転可能に係合する円筒体が固定されるとともに、前記遮蔽板が前記回転軸に対して所定の回動位置にある状態において、前記円筒体側周面の前記回転軸の孔に重なる位置に貫通孔が設けられるものであり、
前記円筒体の貫通孔と前記回転軸の孔とが重なった状態で両者を貫くように固定し得るピンを有する
請求項１に記載の地下階段用浸水防止装置。
【請求項３】
前記ピンの基端には、板体又はピンよりも太い棒体からなるレバー体が設けられる請求項１又は２に記載の地下階段用浸水防止装置。
【考案の詳細な説明】
【技術分野】
【０００１】
本考案は、地下階段の入り口からの浸水を防止するための装置に関する。
【背景技術】
【０００２】
従来、大雨などで地面に水が溜まった状態になると、地下の入り口から地下への浸水を防止するために、入り口に土嚢を積み重ねたり、浸水防止パネルを嵌めたりすることが行われている。しかしこのような方法は、土嚢や浸水防止パネルを収納しておく必要があるので、地下への入り口近傍に収納スペースを設けなければならない。
また、地下への入り口の地面に普段は埋設されているシャッターを設けて、必要なときに油圧などにより上昇させることで浸水を防止する方法もあり、また、下記特許文献１〜３に示されるように、最上段から数段の階段部分を上端で回動可能に設け、洪水時にこの部分を回動させて立てることで浸水防止壁とする方法も提案されている。
【先行技術文献】
【特許文献】
【０００３】
【特許文献１】特開２００４−３３９７２６号公報
【特許文献２】特開２００７−２６４１号公報
【特許文献３】特開２００５−３５１０５７号公報
【考案の概要】
【考案が解決しようとする課題】
【０００４】
後者のような方法は、浸水を防止材を収納するスペースを設ける必要はないが、地下階段を施工する際に予め組み込んで置く必要があり、また、設備も大掛かりなものとならざるを得ない。
本考案は、このような問題に鑑み、浸水防止壁のための収納スペースを設けることなく、比較的簡易な構造で、浸水防止のための機構を有しない地下階段にも後から設置可能な地下階段用の浸水防止装置を提供することを課題とする。
【課題を解決するための手段】
【０００５】
上記課題を解決するために本考案は次のような構成を有する。
請求項１に記載の考案は、地下への入り口に設けられる階段の最上段近傍に、前記階段の横方向に平行に固定される回転軸と、前記回転軸から前記階段の下方側に存する前記階段の表面に沿う形状を有する板体であって、前記階段の上方側の端縁部分で前記回転軸に回動可能に固定される遮蔽板とを有する地下階段用浸水防止装置である。
請求項２に記載の考案は、前記地下階段用浸水防止装置において、前記回転軸には長手方向に対して垂直な孔が形成され、前記遮蔽板には前記回転軸の前記孔に重なる位置において当該回転軸に回転可能に係合する円筒体が固定されるとともに、前記遮蔽板が前記回転軸に対して所定の回動位置にある状態において、前記円筒体側周面の前記回転軸の孔に重なる位置に貫通孔が設けられる。さらに、前記リングの貫通孔と前記回転軸の孔とが重なった状態で両者を貫くように固定し得るピンを有する。
請求項３に記載の考案は、請求項２に記載の地下階段用浸水防止装置において、前記ピンの基端には、板体又はピンよりも太い棒体からなるレバー部が設けられるものである。
【考案の効果】
【０００６】
以上の構成から、本考案は次のような効果を奏する。
請求項１に記載の考案は、回転軸を地下階段最上段近傍に固定することで設置することができるので、予め浸水防止機構が設けられていない階段にも設置することができ、また、遮蔽板が階段表面に沿った形状をしているので、通常は階段表面に合致するように配置することで目立つことなく収納でき、使用に際しては回転軸回りに遮蔽板を回転させて立てることで浸水防止壁としての機能を果たすことができる。
請求項２に記載の考案は、回転軸の孔と遮蔽板に固定される円筒体との貫通孔とを重ねた位置に合わせてピンで回転軸の孔と円筒体の貫通孔を貫くことで、円筒体を回転軸に対して回らないように固定することができるので、固定位置を遮蔽板が立った状態に設定しておけば、簡易に遮蔽板を浸水を防止できる位置に固定することができる。
請求項３に記載の考案はピンの基端にレバー部を設けることで、先端を前記円筒体の貫通孔に挿入した状態でレバー部を操作することで遮蔽板と一体となった円筒体を梃子の力でスムーズに回転させることができ、さらに、レバー部に、持ち上げるための治具に係合できるような穴、切り欠き、溝などを設けることで治具を用いてピンをより容易に回転させることができる。
【図面の簡単な説明】
【０００７】
【図１】実施形態に係る地下階段用浸水防止装置の斜視図である。
【図２】図１のＡ−Ａ断面図である。
【図３】図２のＢ−Ｂ断面図である。
【図４】図２から遮蔽板を回転させた状態を示す断面図である。
【図５】（ａ）〜（ｄ）は、地下階段用浸水防止装置の使用手順を示す断面図である。
【考案を実施するための形態】
【０００８】
以下、本考案の実施の形態について、図面を参照しながら説明する。
図１に本実施形態に係る地下階段用浸水防止装置Ｘの斜視図を示し、図２に図１におけるＡ−Ａ断面図を示し、図３に図１におけるB−B断面図を示す。地下階段用浸水防止装置Ｘは、固定ユニット１０と回動ユニット２０とから構成される。
固定ユニット１０は、回転軸１１、固定ブロック１２、上部固定板１３により構成される。
回転軸１１は鋼製の丸棒であり、側周部に等間隔に３箇所、ボルト孔が設けられている。また、回転軸１１の両端側の側面には図３に示すように貫通した孔１１ａが設けられている。
固定ブロック１２は扁平な直方体状のブロックであり３つ設けられる。固定ブロック１２は中央に貫通孔が形成されるとともに、上端側にザグリ付きの孔が設けられる。そして、このザグリ付きの孔から六角孔付きボルト１１ｂを通して回転軸１１のボルト孔と締結することで、３つの固定ブロック１２に回転軸１１が固定される。固定ブロック１２はさらに、中央の貫通孔からボルト１２ａを通して、地下階段Ｓの最上段側面に打ち込んだアンカーナットにボルト１２ａに締結することで階段Ｓ最上段側面に固定される。即ち、回転軸１１は固定ブロック１２を介して階段Ｓ最上段側面に固定ブロック１２の厚み分の隙間をもって固定される。
【０００９】
上部固定板１３は、細長い板材を長手方向に沿った折り曲げ先に沿って曲げることで形成される断面Ｌ字状の部材であり、水平面を構成する部分とこの部分から下垂する部分とを有する。水平面を構成する部分は、下面において固定ブロックの上面に溶接固定されることで、階段Ｓの最上面にほぼ一致するように設けられる。また、上部固定板１３の水平面を構成する部分は、回転軸１１の上方を覆い、下垂する部分は回転軸１１の側面側を覆うように設けられる。上部固定板１３の水平面を構成する部分の上面には細長い板状の滑り止め板１３ａが貼りつけられている。
【００１０】
回動ユニット２０は、遮蔽板２１、側板２２、補強リブ２３、支持部材２４、スリーブ２５、円筒板２６、固定ピン２７を有する。
遮蔽板２１は縞鋼板を曲加工して形成されるものであり、階段Ｓ最上階の垂直面から最上段から一つ下の段の水平面及び垂直面の一部に沿った形状を有している。また、細長い板状の滑り止め板２１ａが、遮蔽板２１の最上段から一つ下の段の水平面に沿った面の先端縁に沿って貼りつけられている。
側板２２は遮蔽板２１の両端に溶接固定される垂直に立った略直角三角形状の板体である。側板２２の遮蔽板２１に面していない側の面には、斜辺に沿って地下階段の壁面ＳＷに接触して水の浸入を防ぐためのゴム製のパッキン２２ａが貼り付けられている。
補強リブ２３は、遮蔽板２１の垂直に立った部分の裏面に数箇所に溶接固定される細長い板体である。
【００１１】
スリーブ２５は回転軸１１に挿入されるパイプ体であり、固定ブロック１２の間に２本設けられる。
支持部材２４は遮蔽板２１の裏面及び補強リブ２３の上面と、スリーブ２５を連結する部材であり、これにより遮蔽板２１はスリーブ２５を介して回転軸１１周りに回動可能に固定されることとなる。図４に、図２の状態から遮蔽板２１を回転軸１１回りに回転させた状態を示す。回動に際して、上部固定板１３の下垂部分が回動の妨げとならないように、支持部材２４は図２に示すように遮蔽板２１の裏面に固定される部分は水平であり遮蔽板２１からやや離れた位置から上方に曲がって、端縁でスリープ２５に固定される。この水平部分は、遮蔽板２１の横幅に渡って連続している。一方、上方に曲がってスリーブ２５に固定する部分は、固定ブロック１２に当たらないように固定ブロック部分で分断されている。さらに、水平部分の上面には長手方向に渡ってゴム製のパッキン２４ａが貼り付けられている。図４に示すように上方に回動させるとパッキン２４ａは、上部固定板１３の角部に接触するようになっており、これにより回動部分からの水の浸入を防ぐことができる。
【００１２】
円筒板２６は回転軸１１の外周に緩く嵌合する内径を有する扁平な円筒体であり、回転軸１１の両端部にそれぞれ回転自在に係合するとともに、外側面で側板２２に固定される。円筒板２６の側周面には、図３に示すように、この状態において斜め下方に向う貫通孔２５ａが設けられている。また、円筒板２６の側周面には扇型の部材２６ｂが固定されている。扇型の部材２６ｂは側板２２と円筒板２６に固定され、さらに、遮蔽板２１の上端角部に隙間が空かないように一体に固定される。扇型の部材２６ｂにも図３に示すように円筒板２６の貫通孔２５ａに連なるような貫通孔２６ｂａが形成されている。
【００１３】
固定ピン２７は前記円筒板２６及び前記扇型の部材２６ｂの貫通孔２６ａ、２６ｂａに緩やかに嵌合する外径を有する鋼製の丸棒からなるピン本体２７ａと、ピン本体２７ａの基端側に固定される細長い板体からなるレバー体２７ｂとから構成される。固定ピン２７は先端のピン本体２７ａが前記円筒板２６及び前記扇型の部材２６ｂの貫通孔２６ａ、２６ｂａに挿入されるとともに、前記回転軸１１に先端が達しない状態で、レバー体２７ｂの後端部が遮蔽板２１の水平面に接触するように斜めに配置される。また、この状態においてレバー体２７の下側の斜めになった縁部には、後述する治具が係合するための切り欠き２７ｂａが２箇所設けられている。
【００１４】
次に、以上のような構成を有する地下階段用浸水防止装置Ｘの使用方法について説明する。通常は図１に示すように遮蔽板２１を地下階段Ｓに沿った位置にしておく。これにより、遮蔽板２１は地下階段Ｓの上段の一部を構成することとなり、特別な収納場所を要することがない。そして、洪水などが発生した際には、図５（ａ）に示すような治具Ｔを、固定ピン２７のレバー体２７ｂに係合させる。治具Ｔは、略中央で屈曲した棒体の先端に角が大きく面取りされた長方形の板体が固定されており、この板体の面取りされた斜辺に沿って、レバー体２７ｂに設けられた２箇所の切り欠き２７ｂａに嵌る２本の係止ピンが立設固定されたものである。治具Ｔの使用に際しては、まず、図５（ｂ）に示すように、治具Ｔの２本の係止ピンをレバー体２７ｂの切り欠き２７ｂａに嵌め、この状態で、治具の棒体部分を持って図５（ｃ）に示すように、レバー体２７ｂを持ち上げて回動させる。これにより、レバー体２７ｂに一体となったピン本体２７ａが挿入されている前記円筒板２６及び前記扇型の部材２６ｂが回動し、これらに固定されている遮蔽板２１も回動することとなる。そして、前記円筒板２６及び前記扇型の部材２６ｂの貫通孔２６ａ、２６ｂａと、回転軸１１の孔１１ａとが重なった位置まで回動させ、図５（ｄ）に示すように固定ピン２７を押して回転軸１１の孔１１ａにまで挿入させる。これにより、前記円筒板２６及び前記扇型の部材２６ｂは回動できないように固定され、これらに固定されている遮蔽板２１も立った状態で固定されることとなる。これにより、地下階段Ｓの最上階の上面よりも上方に遮蔽板２１が立設固定されるので、地下階段Ｓ内への浸水を防止することができる。洪水などが収まったら、固定ピン２７を回転軸１１の孔１１ａから抜いて、再び遮蔽板２１を回動可能として、図１に示す状態とする。
本実施形態に係る地下階段用浸水防止装置Ｘは、既存の地下階段に対しても、アンカーナットを設置して固定ブロック１２を固定することで、簡単に設置することができるので、多くの地下階段に採用することができ、また、遮蔽板を収納するスペースを設ける必要もなく、また、構造も比較的簡易であり手動で遮蔽板を立てることができるので、製造コストなども低く抑えることができる。
【符号の説明】
【００１５】
Ｘ  地下階段用浸水防止装置
１０  固定ユニット
１１  回転軸
１１ａ  孔
１２  固定ブロック
１３  上部固定板
２０  回動ユニット
２１  遮蔽板
２２  側板
２３  補強リブ
２４  支持部材
２５  スリーブ
２６  円筒板
２６ａ  貫通孔
２７  固定ピン
２７ｂ  レバー体
【図１】
0003167401.tif 000003
【図２】
0003167401.tif 000004
【図３】
0003167401.tif 000005
【図４】
0003167401.tif 000006
【図５】
0003167401.tif 000007